(57)【特許請求の範囲】
【請求項１】
入力画像が平面画像であるか立体画像であるかを判定する判定手段と、
１つの基準ＯＳＤ画像を記憶する記憶手段と、
前記判定手段による判定結果に対応して、前記記憶手段により記憶される前記基準ＯＳＤ画像に基づいて、立体表示用のＯＳＤ画像及び平面表示用のＯＳＤ画像のいずれか一方を取得するＯＳＤ画像取得手段と、
前記入力画像に対し、前記ＯＳＤ画像取得手段により取得されたＯＳＤ画像を重畳して画像を生成する画像合成手段と、
前記画像合成手段により生成された画像を表示する表示手段と、
を備え、
前記画像合成手段は、
前記入力画像が左目用画像及び右目用画像を含む立体画像である場合は、前記記憶手段に記憶された前記基準ＯＳＤ画像に基づいて取得された右目用ＯＳＤ画像を前記右目用画像に対して重畳し、前記記憶手段に記憶された前記基準ＯＳＤ画像に基づいて取得された左目用ＯＳＤ画像を、当該左目用ＯＳＤ画像に含まれる文字が前記右目用ＯＳＤ画像に含まれる文字とは異なる位置に重畳されるように、前記左目用画像に対して重畳し、
前記入力画像が平面画像である場合は、前記記憶手段に記憶された前記基準ＯＳＤ画像に基づいて取得された平面表示用のＯＳＤ画像を前記入力画像に重畳することを特徴とする表示装置。
【請求項２】
前記判定手段により前記入力画像が立体画像であると判定された場合に、
前記ＯＳＤ画像取得手段は、前記記憶手段により記憶される前記基準ＯＳＤ画像に基づいて、前記左目用ＯＳＤ画像及び前記右目用ＯＳＤ画像を含む立体表示用のＯＳＤ画像を取得し、
前記画像合成手段は、前記入力画像に含まれる前記左目用画像及び前記右目用画像に対し、前記ＯＳＤ画像取得手段により取得された前記左目用ＯＳＤ画像及び前記右目用ＯＳＤ画像をそれぞれ重畳して立体画像を生成することを特徴とする請求項１記載の表示装置。
【請求項３】
前記判定手段は、前記入力画像が前記左目用画像及び前記右目用画像を含む立体画像であると判定した場合に、前記入力画像の画像フォーマットを判定し、
前記画像合成手段は、前記判定手段により判定された画像フォーマットに基づいて、前記入力画像に含まれる前記左目用画像及び前記右目用画像に対し、前記ＯＳＤ画像取得手段により取得された前記左目用ＯＳＤ画像及び前記右目用ＯＳＤ画像をそれぞれ重畳して立体画像を生成することを特徴とする請求項１記載の表示装置。
【請求項４】
前記判定手段は、前記入力画像または前記入力画像の一部が前記左目用画像であるか前記右目用画像であるかを判定し、
前記画像合成手段は、前記判定手段により前記左目用画像と判定された画像には前記左目用ＯＳＤ画像を重畳し、前記判定手段により前記右目用画像と判定された画像には前記右目用ＯＳＤ画像を重畳して、立体画像を生成することを特徴とする請求項２または３に記載の表示装置。
【請求項５】
前記ＯＳＤ画像取得手段は、前記判定手段により前記入力画像が立体画像であると判定された場合に、前記記憶手段により予め記憶され平面画像である前記基準ＯＳＤ画像に基づいて、前記左目用ＯＳＤ画像及び前記右目用ＯＳＤ画像を取得し、前記判定手段により前記入力画像が平面画像であると判定された場合には前記記憶手段により予め記憶され平面画像である前記基準ＯＳＤ画像を取得することを特徴とする請求項１から４のいずれかに記載の表示装置。
【請求項６】
入力画像が平面画像であるか立体画像であるかを判定し、
判定結果に対応して、予め記憶される１つの基準ＯＳＤ画像に基づく立体表示用のＯＳＤ画像及び平面表示用のＯＳＤ画像のいずれか一方を前記入力画像に重畳して画像を生成し、
生成した画像を表示し、
前記入力画像が左目用画像及び右目用画像を含む立体画像である場合は、記憶された前記基準ＯＳＤ画像に基づいて取得された右目用ＯＳＤ画像を前記右目用画像に対して重畳し、前記記憶手段に記憶された前記基準ＯＳＤ画像に基づいて取得された左目用ＯＳＤ画像を、当該左目用ＯＳＤ画像に含まれる文字が前記右目用ＯＳＤ画像に含まれる文字とは異なる位置に重畳されるように、前記左目用画像に対して重畳し、
前記入力画像が平面画像である場合は、前記記憶手段に記憶された前記基準ＯＳＤ画像に基づいて取得された平面表示用のＯＳＤ画像を前記入力画像に重畳すること、
を特徴とする表示装置の制御方法。
【請求項７】
表示装置を制御するコンピューターが実行可能なプログラムであって、
前記コンピューターを、
入力画像が平面画像であるか立体画像であるかを判定する判定手段と、
前記判定手段による判定結果に対応して、記憶手段により記憶される１つの基準ＯＳＤ画像に基づいて、立体表示用のＯＳＤ画像及び平面表示用のＯＳＤ画像のいずれか一方を取得するＯＳＤ画像取得手段と、
前記入力画像に対し、前記ＯＳＤ画像取得手段により取得されたＯＳＤ画像を重畳して画像を生成する画像合成手段と、
前記画像合成手段により生成された画像を表示させる表示制御手段と、
して機能させ、
前記画像合成手段は、
前記入力画像が左目用画像及び右目用画像を含む立体画像である場合は、前記記憶手段に記憶された前記基準ＯＳＤ画像に基づいて取得された右目用ＯＳＤ画像を前記右目用画像に対して重畳し、前記記憶手段に記憶された前記基準ＯＳＤ画像に基づいて取得された左目用ＯＳＤ画像を、当該左目用ＯＳＤ画像に含まれる文字が前記右目用ＯＳＤ画像に含まれる文字とは異なる位置に重畳されるように、前記左目用画像に対して重畳し、
前記入力画像が平面画像である場合は、前記記憶手段に記憶された前記基準ＯＳＤ画像に基づいて取得された平面用のＯＳＤ画像を前記入力画像に重畳することを特徴とするプログラム。
【発明の詳細な説明】
【技術分野】
【０００１】
本発明は、画像を表示する表示装置、表示装置の制御方法、及び、プログラムに関する。
【背景技術】
【０００２】
従来、入力画像を表示する表示装置が、表示中の画像に重ねてメニュー画面等を表示する、いわゆるＯＳＤ表示機能が知られている。特許文献１記載の装置は、ＯＳＤ画像の色を画素単位で合成することにより、多様な色のＯＳＤ画像を表示できる（例えば、特許文献１参照）。
また、近年、３Ｄ（立体）画像を表示する表示装置が知られている。この種の表示装置は、メガネ型の偏光フィルターを利用する構成（例えば、特許文献２参照）や、表示面にレンチキュラーレンズを配した構成（例えば、特許文献３参照）によって、見る人の右目と左目に異なる画像を見せることで、立体感のある画像を表示する。
【先行技術文献】
【特許文献】
【０００３】
【特許文献１】特開２００８−２１６４６０号公報
【特許文献２】特開平７−２８４１２８号公報
【特許文献３】特開平５−３０４６８５号公報
【発明の概要】
【発明が解決しようとする課題】
【０００４】
ところで、ＯＳＤ画像の表示に立体画像の表示方式を適用する場合に、どのように表示を行うかは、従来解決されていない課題であった。従来、ＯＳＤ画像を表示する場合は、上記の表示装置のように、予め記憶しているＯＳＤ画像を入力画像に重畳させることが一般的である。ところが、平面画像とは異なり、立体画像は、対をなす右目用の画像と左目用の画像とで構成され、これら右目用の画像と左目用の画像との各々に対してどのようにＯＳＤ画像を重畳させるか検討された例は無かった。
さらに、立体画像を表示する表示装置の多くは平面画像の表示にも対応しているが、入力画像として平面画像が入力された場合と、立体画像が入力された場合とで、ＯＳＤ画像をどのように表示させるかについて検討された例は無かった。
本発明は、上述した事情に鑑みてなされたものであり、立体画像と平面画像とを表示可能な表示装置において効果的にＯＳＤ画像を表示することを目的とする。
【課題を解決するための手段】
【０００５】
上記課題を解決するため、本発明は、入力画像が平面画像であるか立体画像であるかを判定する判定手段と、前記入力画像に重畳されるＯＳＤ画像を記憶する記憶手段と、前記判定手段による判定結果に対応して、前記記憶手段に記憶されたＯＳＤ画像をもとに、前記入力画像に重畳される立体表示用のＯＳＤ画像または平面表示用のＯＳＤ画像を取得するＯＳＤ画像取得手段と、前記入力画像に対し、前記ＯＳＤ画像取得手段により取得したＯＳＤ画像を重畳して表示画像を生成する画像合成手段と、前記画像合成手段により生成された表示画像を表示する表示手段とを備えたことを特徴とする。
本発明によれば、入力画像が平面画像か立体画像かを判定し、この判定結果に応じて立体表示用のＯＳＤ画像または平面表示用のＯＳＤ画像を入力画像に重畳させるので、例えば立体画像に立体表示用のＯＳＤ画像を重畳させて立体感に富む表示を可能とし、また、例えば立体画像に平面表示用のＯＳＤ画像を重畳させてＯＳＤ画像を多方向から見やすく判読しやすく表示することができる。また、例えば平面画像に立体表示用のＯＳＤ画像を重畳させてＯＳＤ画像を強調表示させることも、例えば平面画像に平面表示用のＯＳＤ画像を重畳させて違和感がなく判読しやすいようにＯＳＤ画像を表示することができる。このように、入力画像が平面画像か立体画像かに対応してＯＳＤ画像の平面表示と立体表示とを適切に組み合わせて、ＯＳＤ画像を効果的に表示することができる。
【０００６】
また、本発明は、上記表示装置において、前記判定手段により前記入力画像が立体画像であると判定された場合に、前記ＯＳＤ画像取得手段は、前記記憶手段に記憶されたＯＳＤ画像をもとに、一対の左目用ＯＳＤ画像と右目用ＯＳＤ画像とで構成される立体表示用のＯＳＤ画像を取得し、前記画像合成手段は、前記入力画像を構成する一対の左目用画像と右目用画像に対し、前記ＯＳＤ画像取得手段が取得した一対の左目用ＯＳＤ画像と右目用ＯＳＤ画像とをそれぞれ重畳することを特徴とする。
本発明によれば、入力画像が立体画像であった場合に、一対の左目用ＯＳＤ画像と右目用ＯＳＤ画像とで構成される立体表示用のＯＳＤ画像が、入力画像を構成する一対の左目用画像と右目用画像の各々に重畳されるので、立体画像に重ねてＯＳＤ画像を立体表示することができる。
【０００７】
また、本発明は、上記表示装置において、前記判定手段は、前記入力画像が一対の左目用画像と右目用画像とを含む立体画像であると判定した場合に、この立体画像の画像フォーマットを判定し、前記画像合成手段は、前記判定手段により判定された画像フォーマットに対応して、前記入力画像を構成する左目用画像と右目用画像との各々に、前記ＯＳＤ画像取得手段により取得した左目用ＯＳＤ画像と右目用ＯＳＤ画像をそれぞれ重畳して立体表示画像を生成することを特徴とする。
本発明によれば、入力される立体画像の画像フォーマットに対応して、左目用ＯＳＤ画像と右目用ＯＳＤ画像を適切に重畳して表示できる。
【０００８】
また、本発明は、上記表示装置において、前記判定手段は、一対の左目用画像と右目用画像とが交互に前記入力画像として入力される場合には、この交互に入力される画像について左目用画像か右目用画像かを判定し、前記画像合成手段は、前記判定手段により判定された左目用画像には左目用ＯＳＤ画像を重畳し、前記判定手段により判定された右目用画像には右目用ＯＳＤ画像を重畳して、前記表示画像を生成することを特徴とする。
本発明によれば、交互に入力される左目用画像と右目用画像とを確実に区別し、左目用ＯＳＤ画像と右目用ＯＳＤ画像を適切に重畳して表示できる。
【０００９】
また、本発明は、上記表示装置において、前記記憶手段は、左目用ＯＳＤ画像と右目用ＯＳＤ画像とを予め記憶し、前記ＯＳＤ画像取得手段は、前記記憶手段から左目用ＯＳＤ画像と右目用ＯＳＤ画像とを読み出すことを特徴とする。
本発明によれば、予め記憶した左目用ＯＳＤ画像と右目用ＯＳＤ画像とを読み出して重畳するので、ＯＳＤ画像を重畳する処理を速やかに実行できる。
【００１０】
また、本発明は、上記表示装置において、前記記憶手段は、左目用ＯＳＤ画像と右目用ＯＳＤ画像とを予め記憶し、前記ＯＳＤ画像取得手段は、前記判定手段により前記入力画像が立体画像であると判定された場合に、前記記憶手段から左目用ＯＳＤ画像と右目用ＯＳＤ画像とを読み出し、前記判定手段により前記入力画像が平面画像であると判定された場合に、前記記憶手段から左目用ＯＳＤ画像と右目用ＯＳＤ画像とのいずれか一方を読み出すことを特徴とする。
本発明によれば、左目用ＯＳＤ画像と右目用画像とを記憶しておくことで立体画像が入力された場合に速やかに立体表示用のＯＳＤ画像を取得できるので、遅滞なく立体のＯＳＤ画像を表示でき、入力画像が平面画像であった場合は左目用ＯＳＤ画像と右目用ＯＳＤ画像とのいずれか一方を用いて平面的なＯＳＤ画像の表示を実現するので、平面であっても立体であってもＯＳＤ画像を速やかに表示できる。
【００１１】
また、本発明は、上記表示装置において、前記記憶手段は、平面画像であるＯＳＤ画像を予め記憶し、前記ＯＳＤ画像取得手段は、前記判定手段により前記入力画像が立体画像であると判定された場合に、前記記憶手段から平面画像であるＯＳＤ画像を読み出して、読み出した平面画像をもとに左目用ＯＳＤ画像と右目用ＯＳＤ画像とを生成し、前記判定手段により前記入力画像が平面画像であると判定された場合には前記記憶手段から平面画像であるＯＳＤ画像を読み出すことを特徴とする。
本発明によれば、少ない記憶容量でＯＳＤ画像の立体表示が可能となる。
【００１２】
また、上記課題を解決するため、本発明は、入力画像が平面画像であるか立体画像であるかを判定し、判定結果に対応して、予め記憶したＯＳＤ画像に基づく立体表示用のＯＳＤ画像または平面表示用のＯＳＤ画像を前記入力画像に重畳して表示画像を生成し、生成した表示画像を表示することを特徴とする。
本発明の制御方法を実行することにより、入力画像が平面画像か立体画像かを判定し、この判定結果に応じて立体表示用のＯＳＤ画像または平面表示用のＯＳＤ画像を入力画像に重畳させるので、入力画像が平面画像か立体画像かに対応してＯＳＤ画像の平面表示と立体表示とを適切に組み合わせて、ＯＳＤ画像を効果的に表示することができる。
【００１３】
また、上記課題を解決するため、本発明は、入力画像が平面画像であるか立体画像であるかを判定する判定手段と、前記入力画像に重畳されるＯＳＤ画像を記憶する記憶手段と、前記判定手段による判定結果に対応して、前記記憶手段に記憶されたＯＳＤ画像をもとに、前記入力画像に重畳される立体表示用のＯＳＤ画像または平面表示用のＯＳＤ画像を取得するＯＳＤ画像取得手段と、前記入力画像に対し、前記ＯＳＤ画像取得手段により取得したＯＳＤ画像を重畳して表示画像を生成する画像合成手段と、前記画像合成手段により生成された表示画像を表示させる表示制御手段として機能させることを特徴とする。
本発明のプログラムをコンピューターによって実行することにより、表示装置は、入力画像が平面画像か立体画像かを判定し、この判定結果に応じて立体表示用のＯＳＤ画像または平面表示用のＯＳＤ画像を入力画像に重畳させるので、入力画像が平面画像か立体画像かに対応してＯＳＤ画像の平面表示と立体表示とを適切に組み合わせて、ＯＳＤ画像を効果的に表示することができる。
【発明の効果】
【００１４】
本発明によれば、入力画像が平面画像か立体画像かに対応してＯＳＤ画像の平面表示と立体表示とを適切に組み合わせて、ＯＳＤ画像を効果的に表示することができる。
【図面の簡単な説明】
【００１５】
【図１】本発明の実施形態に係るプロジェクターの構成を示すブロック図である。
【図２】ＯＳＤ画像用メモリーの構成例を示す説明図である。
【図３】入力映像にＯＳＤ画像を重畳する処理の一例を示す模式図であり、図３Ａは画像合成部が生成するＯＳＤ画像を示し、図３ＢはＯＳＤ画像を入力映像に重畳した画像を示す。
【図４】入力映像にＯＳＤ画像を重畳する処理の別の例を示す模式図であり、図４Ａは重畳されるＯＳＤ画像を示し、図４ＢはＯＳＤ画像を入力映像に重畳した画像を示す。
【図５】入力映像にＯＳＤ画像を重畳する処理のさらに別の例を示す模式図であり、図５Ａは重畳されるＯＳＤ画像を示し、図５ＢはＯＳＤ画像を入力映像に重畳した画像を示す。
【図６】ＯＳＤ画像用メモリーに記憶されるＯＳＤ画像の構成例を詳細に示す図であり、図６Ａは左目用ＯＳＤ画像、図６Ｂは右目用ＯＳＤ画像を示し、図６Ｃはこれらを投射した場合に見えるＯＳＤ画像の例を示す。
【図７】入力映像にＯＳＤ画像を重畳表示した表示例を示す図であり、図７Ａは平面画像に平面のＯＳＤ画像を重畳表示した例を示し、図７ＢはＡの表示を補正した例を示し、図７Ｃは平面画像に立体のＯＳＤ画像を重畳表示した例を示し、図７Ｄは立体画像に平面のＯＳＤ画像を重畳表示した例を示し、図７Ｅは図７Ｄの表示を補正した例を示し、図７Ｆは立体画像に立体のＯＳＤ画像を重畳表示した例を示す。
【図８】プロジェクターの動作を示すフローチャートである。
【発明を実施するための形態】
【００１６】
以下、図面を参照して本発明の実施形態について説明する。
図１は、本発明を適用した表示装置としてのプロジェクター１の全体構成を示すブロック図である。プロジェクター１は、パーソナルコンピューターや各種映像プレーヤー等の外部の画像供給装置（図示略）に接続され、この画像供給装置から入力される入力画像をスクリーンＳＣに投射する装置である。上記の画像供給装置としては、ビデオ再生装置、ＤＶＤ再生装置、テレビチューナー装置、ＣＡＴＶのセットトップボックス、ビデオゲーム装置等の映像出力装置、パーソナルコンピューター等が挙げられる。本実施形態では、画像供給装置から表示制御部１５に、デジタル映像データが入力されるものとして説明する。このデジタル映像データには、映像データ自体とともに、当該デジタル映像データの画像フォーマット（立体映像のフォーマットや、フレームレート等を含む）に関する情報が含まれる。
プロジェクター１は、静止画像および動画像（映像）のいずれであっても表示可能である。以下の説明では、画像供給装置から入力される動画像を表示出力する場合を例に挙げて説明する。すなわち、以下の説明において入力画像を表示する処理は、静止画像を表示する場合にもそのまま適用可能である。
本実施形態では、スクリーンＳＣはほぼ直立しており、スクリーン面は矩形形状とされている。プロジェクター１に入力される画像は動画像（映像）と静止画像とのどちらでもよく、プロジェクター１は映像をスクリーンＳＣに投射することも、静止画像をスクリーンＳＣに投射し続けることも可能である。
【００１７】
プロジェクター１は、大きく分けて光学的な画像の形成を行う表示部４０（表示手段）と、この表示部４０に入力される映像信号を電気的に処理する画像処理系とからなる。表示部４０は、照明光学系４１、液晶パネル４２、及び投射光学系４３から構成されている。照明光学系４１は、キセノンランプ、超高圧水銀ランプ、ＬＥＤ等からなる光源を備えている。また、照明光学系４１は、光源が発した光を液晶パネル４２に導くリフレクター及び補助リフレクターを備えていてもよく、投射光の光学特性を高めるためのレンズ群（図示略）、偏光板、或いは光源が発した光の光量を液晶パネル４２に至る経路上で低減させる調光素子等を備えたものであってもよい。
液晶パネル４２は、後述する画像処理系からの信号を受けて、パネル面に画像を形成する。液晶パネル４２は、カラーの投影を行うため、ＲＧＢの三原色に対応した３枚の液晶パネルからなる。そのため、照明光学系４１からの光はＲＧＢの３色の色光に分離され、各色光は対応する各液晶パネルに入射する。各液晶パネルを通過して変調された色光はクロスダイクロイックプリズム等の合成光学系によって合成され、投射光学系４３に射出される。
【００１８】
投射光学系４３は、投射する画像の拡大・縮小および焦点の調整を行うズームレンズ、ズームの度合いを調整するズーム調整用モーター、フォーカスの調整を行うフォーカス調整用モーター等を備えている。投射光学系４３は、液晶パネル４２で変調された入射光を、ズームレンズを用いてスクリーンＳＣ上に投射し、結像させる。
表示部４０には、制御部１１の制御に従って投射光学系４３が備える各モーターを駆動する投射光学系駆動部１８、及び、制御部１１の制御に従って照明光学系４１が備える光源を駆動する光源駆動部１９が接続されている。
【００１９】
画像処理系は、プロジェクター１全体を統合的に制御する制御部１１を中心に構成され、制御部１１が処理するデータや制御部１１が実行するプログラムを記憶した記憶部１２、操作パネル５１及びリモコン受光部５２を介した操作を検出する入力処理部１３、入力映像を処理する表示制御部１５、表示制御部１５から出力される映像信号に基づいて液晶パネル４２を駆動して描画を行う液晶パネル駆動部１７を備えている。
【００２０】
制御部１１は、記憶部１２に記憶された制御プログラムを読み出して実行することにより、プロジェクター１の各部を制御する。制御部１１は、入力処理部１３から入力される操作信号に基づいて、ユーザーが行った操作の内容を検出し、この操作に応じて表示制御部１５、液晶パネル駆動部１７、投射光学系駆動部１８及び光源駆動部１９を制御して、スクリーンＳＣに映像を投射させる。
【００２１】
また、記憶部１２には、上記の制御プログラムやデータを記憶する記憶領域の他、ＯＳＤ画像の画像データを記憶するＯＳＤ画像用メモリー３（記憶手段）が設けられている。
図２は、ＯＳＤ画像用メモリー３の構成例を示す説明図である。この図２に示すように、ＯＳＤ画像用メモリー３には、ＯＳＤ画像を立体表示するための左目用ＯＳＤ画像３１および右目用ＯＳＤ画像３２が記憶されている。ＯＳＤ画像用メモリー３にはメモリーＡとメモリーＢとが設けられ、メモリーＡには左目用ＯＳＤ画像３１が、メモリーＢには右目用ＯＳＤ画像３２が展開され、記憶されている。
【００２２】
プロジェクター１の本体には、ユーザーが操作を行うための各種スイッチ及びインジケーターランプを備えた操作パネル５１が配置されている。操作パネル５１は入力処理部１３に接続されており、入力処理部１３は、制御部１１の制御に従い、プロジェクター１の動作状態や設定状態に応じて操作パネル５１のインジケーターランプを適宜点灯或いは点滅させる。この操作パネル５１のスイッチが操作されると、操作されたスイッチに対応する操作信号が入力処理部１３から制御部１１に出力される。
また、プロジェクター１は、ユーザーが使用するリモコン５を有する。リモコン５は各種のボタンを備えており、これらのボタンの操作に対応して赤外線信号を送信する。プロジェクター１の本体には、リモコン５が発する赤外線信号を受光するリモコン受光部５２が配置されている。リモコン受光部５２は、リモコン５から受光した赤外線信号をデコードして、リモコン５における操作内容を示す操作信号を生成し、制御部１１に出力する。
【００２３】
表示制御部１５は、外部の画像供給装置（図示略）に接続されている。表示制御部１５は、制御部１１の制御に従って、画像供給装置から入力される入力映像信号に基づいて、表示信号を生成し、液晶パネル駆動部１７に出力する。
また、表示制御部１５は、制御部１１の制御に従ってＯＳＤ画像の表示態様を選択する表示選択部２１、入力映像について判定を行う画像判定部２２（判定手段）、画像判定部２２の判定結果に従ってＯＳＤ画像用メモリー３からＯＳＤ画像を読み出す画像読出部２３（ＯＳＤ画像取得手段）、及び、入力映像にＯＳＤ画像を重畳して合成し、表示映像を生成する画像合成部２４（画像取得手段、画像合成手段）を備える。
【００２４】
表示選択部２１は、制御部１１の制御に従い、ＯＳＤ画像を平面画像として表示するか、立体画像として表示するかを選択する。ＯＳＤ画像を平面表示するか、立体表示するかは、入力処理部１３の操作或いは事前の設定等によって決められる。
画像判定部２２は、入力映像が立体映像か平面映像かを判定し、立体映像の場合は、入力映像の映像フォーマットを判定する。立体映像のフォーマットとしては、ラインオルタナティブ形式、フレームシーケンシャル方式、サイドバイサイド形式等がある。さらに、画像判定部２２は、入力映像が立体映像である場合に、立体映像の各フレームまたは各ラインが右目用画像であるか左目用画像であるかを判定する。
画像読出部２３は、表示選択部２１がＯＳＤ画像の表示態様として立体表示を選択した場合には、ＯＳＤ画像用メモリー３から左目用ＯＳＤ画像３１および右目用ＯＳＤ画像３２を読み出して、画像合成部２４に出力する。また、画像読出部２３は、表示選択部２１がＯＳＤ画像の表示形態として平面表示を選択した場合には、左目用ＯＳＤ画像３１のみをＯＳＤ画像用メモリー３から読み出して画像合成部２４に出力する。
画像合成部２４は、画像読出部２３から入力されるＯＳＤ画像を入力映像に重畳する処理を行う。ここで、画像合成部２４は、画像判定部２２が入力映像を立体映像であると判定した場合には、画像判定部２２が判定した立体映像の映像フォーマットに合わせて、ＯＳＤ画像を入力映像に重畳する。
【００２５】
図３は、画像合成部２４が入力映像にＯＳＤ画像を重畳する処理の一例を示す模式図であり、具体的にはラインオルタナティブ形式の入力映像を処理する場合の例である。図３Ａは画像合成部２４が生成するＯＳＤ画像を示し、図３ＢはＯＳＤ画像を入力映像に重畳した画像を示す。
ラインオルタナティブ形式の立体映像は、水平ライン毎に右目用の画像と左目用の画像とが交互に配置されている。この画像に適合させるため、画像読出部２３は、ＯＳＤ画像用メモリー３のメモリーＡから左目用ＯＳＤ画像３１を１ライン分読み出して画像合成部２４に出力し、続いてＯＳＤ画像用メモリー３のメモリーＢから右目用ＯＳＤ画像３２を１ライン分読み出して画像合成部２４に出力し、この動作を繰り返すことにより左目用ＯＳＤ画像３１と右目用ＯＳＤ画像３２とを交互に出力する。画像合成部２４は、画像読出部２３から１ラインずつ交互に入力される左目用ＯＳＤ画像３１と右目用ＯＳＤ画像３２とを組み合わせて、図３Ａに示すＯＳＤ画像３３を生成し、これをラインオルタナティブ形式の入力映像に重畳して、図３Ｂに示す表示画像１０１を生成する。表示画像１０１は、ライン毎に右目用のフレームと左目用のフレームとが交互に配置されたラインオルタナティブ形式の立体映像の中央に、ＯＳＤ画像３３が重畳された画像である。ＯＳＤ画像３３を構成する右目用ＯＳＤ画像３２は、表示画像１０１の右目用のフレームのラインに重なっており、左目用ＯＳＤ画像３１は、左目用のフレームのラインに重なっている。ここで、画像合成部２４は、画像判定部２２から入力される判定結果に基づいて各ラインが左目用のフレームであるか右目用のフレームであるかを区別するので、左右のフレームを取り違えて処理するおそれはない。
【００２６】
また、ラインオルタナティブ形式の入力映像は一対の左目用のフレームと右目用のフレームとが合わせて１つのフレーム分のサイズになるよう、垂直方向の解像度が半分に圧縮されているので、画像合成部２４は、この入力映像を左目用のフレームと右目用のフレームに分離するため、水平ラインを補完して垂直方向の解像度を増やす処理を行う。画像合成部２４は、入力映像の水平ラインを補間する処理を行ってからＯＳＤ画像３３を重畳してもよいし、ＯＳＤ画像３３を重畳した表示画像１０１について水平ラインを補間する処理を行ってもよい。入力映像の水平ラインを補間する処理を行ってからＯＳＤ画像３３を重畳する場合、左目用ＯＳＤ画像３１、右目用ＯＳＤ画像３２の解像度を変換する必要がなく、演算量を抑えることができるので、好ましい。
【００２７】
画像合成部２４は、表示画像１０１をもとに、内蔵するフレームメモリー（図示略）に右目用のフレームと左目用のフレームをそれぞれ描画・展開して、右目用のフレームと左目用のフレームとを交互に液晶パネル駆動部１７に出力する。これによりスクリーンＳＣには、右目用のフレームと左目用のフレームとが交互に切り換えて投射されるので、これを、例えばメガネ型の偏光フィルターを装着した人が見れば、入力映像にＯＳＤ画像が重畳されて見える。
【００２８】
図４は、画像合成部２４が入力映像にＯＳＤ画像を重畳する処理の一例を示す模式図であり、具体的にはフレームシーケンシャル形式の入力映像を処理する場合の例である。図４Ａは重畳されるＯＳＤ画像を示し、図４ＢはＯＳＤ画像を重畳した画像を示す。
フレームシーケンシャル形式の立体映像は右目用のフレームと左目用のフレームがフレーム単位で交互に入力されるので、画像読出部２３は、ＯＳＤ画像用メモリー３のメモリーＡから左目用ＯＳＤ画像３１を読み出し、メモリーＢから右目用ＯＳＤ画像３２を読み出し、これら左目用ＯＳＤ画像３１と右目用ＯＳＤ画像３２とを交互に画像合成部２４に出力する。
画像合成部２４は、図４Ｂに示すように、画像判定部２２から入力される入力映像の左目用のフレームに左目用ＯＳＤ画像３１を重畳して左目用表示画像１１１を生成し、右目用のフレームに右目用ＯＳＤ画像３２を重畳して右目用表示画像１１２を生成する。ここで、画像合成部２４は、画像判定部２２から入力される判定結果に基づいて各フレームが左目用のフレームであるか右目用のフレームであるかを区別するので、左右の画像を取り違えて処理するおそれはない。
画像合成部２４は、内蔵するフレームメモリー（図示略）に左目用表示画像１１１と右目用表示画像１１２をそれぞれ描画・展開して、交互に液晶パネル駆動部１７に出力する。これによりスクリーンＳＣには、右目用のフレームと左目用のフレームとが交互に切り換えて投射されるので、これを、例えばメガネ型の偏光フィルターを装着した人が見れば、入力映像にＯＳＤ画像が重畳されて見える。
【００２９】
図５は、画像合成部２４が入力映像にＯＳＤ画像を重畳する処理の一例を示す模式図であり、具体的にはサイドバイサイド形式の入力映像を処理する場合の例である。図５Ａは重畳されるＯＳＤ画像を示し、図５ＢはＯＳＤ画像を重畳した画像を示す。
サイドバイサイド形式の立体映像は右目用のフレームと左目用のフレームが左右に並び、１フレーム分のサイズに圧縮されている。画像読出部２３は、ＯＳＤ画像用メモリー３のメモリーＡから左目用ＯＳＤ画像３１を読み出し、メモリーＢから右目用ＯＳＤ画像３２を読み出し、これら左目用ＯＳＤ画像３１と右目用ＯＳＤ画像３２とを水平方向に並べたＯＳＤ画像３４を生成して、画像合成部２４に出力する。
【００３０】
なお、サイドバイサイド形式の入力映像は一対の左目用のフレームと右目用のフレームとが１つのフレーム分のサイズになるよう、水平方向の解像度が半分に圧縮されているので、画像合成部２４は、この入力映像を左目用のフレームと右目用のフレームに分離するため、各ラインの画素を補完して水平方向の解像度を増やす処理を行う。画像合成部２４は、画素を補間する処理を行ってからＯＳＤ画像３４を重畳して表示画像１２１を生成してもよいし、ＯＳＤ画像３４を重畳した表示画像１２１について画素を補間する処理を行ってもよい。画素を補間する処理を行ってからＯＳＤ画像３４を重畳して表示画像１２１を生成する場合、左目用ＯＳＤ画像３１、右目用ＯＳＤ画像３２の解像度を変換する必要がなく、演算量を抑えることができるので、好ましい。
【００３１】
画像合成部２４は、図５Ｂに示すように、画像判定部２２から入力される入力映像に対し、左目用のフレームが位置する領域に左目用ＯＳＤ画像３１を重畳し、右目用のフレームが位置する領域に右目用ＯＳＤ画像３２を重畳する。ここで、画像合成部２４は、画像判定部２２から入力される判定結果に基づいて左目用のフレームと右目用のフレームの領域を区別するので、左右の画像を取り違えて処理するおそれはない。
画像合成部２４は、表示画像１２１をもとに、内蔵するフレームメモリー（図示略）にＯＳＤ画像が重畳された右目用のフレームと左目用のフレームとを描画・展開して、交互に液晶パネル駆動部１７に出力する。これによりスクリーンＳＣには、右目用のフレームと左目用のフレームとが交互に切り換えて投射されるので、これを、例えばメガネ型の偏光フィルターを装着した人が見れば、入力映像にＯＳＤ画像が重畳されて見える。
【００３２】
このように、プロジェクター１は、入力映像が立体映像である場合に、この立体映像を構成する左目用のフレームと右目用のフレームとの各々に、左目用ＯＳＤ画像３１と右目用ＯＳＤ画像３２とを重畳して、スクリーンＳＣに投射する。これにより、立体映像上にＯＳＤ画像を表示することができる。
ここで、左目用ＯＳＤ画像３１、右目用ＯＳＤ画像３２、および、これらに基づいて生成されるＯＳＤ画像３３、３４は、いずれも不透明の背景を有する。ＯＳＤ画像を半透明として、ＯＳＤ画像の背後の画像が透けて見えるように表示することも可能であるが、ＯＳＤ画像の背後が透けて見えると、背後の画像の視差とＯＳＤ画像の視差との違い、視差の影響で左右のフレームにおいてＯＳＤ画像により隠される画像がずれること等が原因で、立体映像の見え方に不自然な影響を与える可能性がある。このため、本実施形態では、不透明なＯＳＤ画像を重畳してスクリーンＳＣに投射することで、背後の立体画像とＯＳＤ画像との両方を良好に視認できるようにしている。
【００３３】
図６は、ＯＳＤ画像用メモリー３に記憶されるＯＳＤ画像の構成例を詳細に示す図であり、図６Ａは左目用ＯＳＤ画像３１、図６Ｂは右目用ＯＳＤ画像３２を示し、図６ＣはこれらをスクリーンＳＣに投射した場合に見える立体画像を示す。
この図６Ａ〜Ｃに例示する左目用ＯＳＤ画像３１はメニュー画面等を構成する文字が無地の背景に配置されている。この文字は、スクリーンＳＣに投射した場合に立体的に見えるよう視差をつけて配置されているので、図６Ａに示す左目用ＯＳＤ画像３１では文字が右側に寄った位置にあり、図６Ｂに示す右目用ＯＳＤ画像３２では文字が左側に寄った位置にある。この左目用ＯＳＤ画像３１と右目用ＯＳＤ画像３２とを交互にスクリーンＳＣに投射して、メガネ型のフィルターを介して見た場合、図６Ｃに示すように、文字がほぼ中央に位置し、立体的に見える。
また、本実施形態のプロジェクター１は、ユーザーがリモコン５や操作パネル５１の操作によりＯＳＤ画像の平面表示を指示した場合、左目用ＯＳＤ画像３１のみを入力映像に重畳して表示する。この場合の表示態様について図７を参照して説明する。
【００３４】
図７は、入力映像にＯＳＤ画像を重畳表示した表示例を示す図であり、図７Ａは平面画像に平面のＯＳＤ画像を重畳表示した例を示し、図７ＢはＡの表示を補正した例を示し、図７Ｃは平面画像に立体のＯＳＤ画像を重畳表示した例を示し、図７Ｄは立体画像に平面のＯＳＤ画像を重畳表示した例を示し、図７Ｅは図７Ｄの表示を補正した例を示し、図７Ｆは立体画像に立体のＯＳＤ画像を重畳表示した例を示す。図７Ｄ〜図７Ｆの斜線部分は、入力映像が立体表示されている部分を示している。
【００３５】
図７Ａには、平面の入力映像に平面表示のＯＳＤ画像を重畳してスクリーンＳＣに投射した例を示す。プロジェクター１は、入力映像が立体映像である場合だけでなく、平面の映像すなわち通常の映像が入力された場合に、この映像にＯＳＤ画像を重畳してスクリーンＳＣに投射することができる。画像合成部２４は、入力画像の左目用のフレームと右目用のフレームとを取得し、各フレームにＯＳＤ画像を重畳する処理を行う必要があるので、入力画像の左目用のフレームと右目用のフレームの両方が必要である。この場合、画像合成部２４は、入力画像のフレームを複製し、一方を左目用のフレーム、他方を右目用のフレームとすることで、入力画像の左目用のフレームと右目用のフレームを得る。この場合、スクリーンＳＣに投射される画像は平面画像であるが、画像合成部２４においてＯＳＤ画像を重畳する処理を立体映像と同様に行うことができる。また、平面のＯＳＤ画像をスクリーンＳＣに投射する場合には、画像読出部２３により左目用ＯＳＤ画像３１を読み出し、この左目用ＯＳＤ画像３１を、左目用のフレームと右目用のフレームの両方に重畳する。これにより、スクリーンＳＣに投射されるＯＳＤ画像は平面画像であるが、画像合成部２４でＯＳＤ画像を重畳する処理を、立体的にＯＳＤ画像を投射する場合と同様に行うことができる。
【００３６】
図７Ａの例では左目用ＯＳＤ画像３１をそのままスクリーンＳＣに投射しているため、ＯＳＤ画像中の文字が中央より左に寄った位置に投射されている。ここで、左目用ＯＳＤ画像３１における文字のみを移動させることが可能であれば、図７Ｂに示すように、文字の表示位置を補正して中央に配置することができる。例えば、ＯＳＤ画像用メモリー３に記憶される左目用ＯＳＤ画像３１のデータが、不透明な背景と、背景に表示される文字と、文字の表示位置を指定する情報とを含んで構成されている場合、図７Ｂに示す補正が可能である。
【００３７】
図７Ｃの例では平面の入力画像にＯＳＤ画像が立体表示されている。このような場合、平面の画像を投射中にＯＳＤ画像のみ立体表示することで、ＯＳＤ画像がより強調される。また、この図７Ｃの状態は、例えばメガネ型のフィルターのテストに利用できる。
【００３８】
図７Ｄには、立体の入力映像に平面表示のＯＳＤ画像を重畳してスクリーンＳＣに投射した例を示す。この場合、図７Ａを参照して説明したのと同様に、画像読出部２３は左目用ＯＳＤ画像３１のみをＯＳＤ画像用メモリー３から読み出し、画像合成部２４により左目用ＯＳＤ画像３１が左目用のフレームと右目用のフレームの両方に重畳される。
このような表示態様を用いると、メガネ型のフィルターを装着していなくても容易にＯＳＤ画像の文字を視認できるという利点があり、メガネ型のフィルターを外してリモコン５を操作する場合には特に好適である。また、メガネ型のフィルターを装着している人も勿論ＯＳＤ画像を良好に視認できる。図７Ｄの表示態様は、立体映像の投射中にプロジェクター１の動作に係る設定等を行う場合に有用である。
図７Ｄに示す画面では、左目用ＯＳＤ画像３１を用いているため文字が右側によっているので、図７Ｅに示すように、文字を中央に位置させるよう補正してもよい。
【００３９】
図７Ｆの例では立体表示された入力画像に重ねて、ＯＳＤ画像が立体表示されている。このような場合、背景となっている入力画像と、ＯＳＤ画像との両方が立体表示されるので、例えばメガネ型のフィルターを装着した状態で違和感なくＯＳＤ画像の内容を視認し、操作を行うことができる。
【００４０】
この図７に示したように、プロジェクター１は、入力映像が立体映像である場合に、この立体映像に重畳させて、平面表示のＯＳＤ画像を表示することも、立体表示のＯＳＤ画像を表示することも可能である。また、入力映像が平面映像である場合に、この平面映像に重畳させて、平面表示のＯＳＤ画像を表示することも、立体表示のＯＳＤ画像を表示することも可能である。これらの組み合わせは、例えばリモコン５または操作パネル５１によるユーザーの操作によって、ＯＳＤ画像の表示が指示される毎に指定されてもよいが、予め指定され、或いは初期値としてプロジェクター１の記憶部１２に記憶されている設定に基づき、自動的にプロジェクター１が選択してもよい。以下、この動作についてフローチャートを参照して説明する。
【００４１】
図８は、プロジェクター１の動作を示すフローチャートである。
この図８には、入力映像が立体映像である場合はＯＳＤ画像を立体表示し、入力映像が平面映像である場合はＯＳＤ画像を平面表示するよう設定された場合の動作を示す。
プロジェクター１の表示制御部１５は、画像判定部２２によって入力画像が立体映像か平面映像かが判定されるとともに、立体映像については、画像フォーマット（ラインオルタナティブ、フレームシーケンシャル、サイドバイサイド等）が判定され、さらに現在入力されているデータが左目用のフレームのデータか右目用のフレームのデータかが判定される（ステップＳ１１）。この判定結果は画像判定部２２から画像読出部２３および画像合成部２４に出力される。
【００４２】
画像読出部２３は、画像判定部２２によって、入力映像が立体映像と判定されたか否かを判別し（ステップＳ１２）、立体映像と判定された場合（ステップＳ１２；Ｙｅｓ）には、ＯＳＤ画像を立体表示するため、ＯＳＤ画像用メモリー３から左目用ＯＳＤ画像３１と右目用ＯＳＤ画像３２の両方を取得する（ステップＳ１３）。
続いて、画像合成部２４は、画像判定部２２の判定結果に従い、画像読出部２３が取得したＯＳＤ画像を用い、入力映像の左目用のフレームに左目用ＯＳＤ画像３１を重畳する処理と、右目用のフレームに右目用ＯＳＤ画像３２を重畳する処理とを行う（ステップＳ１４）。その後、画像合成部２４で合成された画像が液晶パネル駆動部１７に入力され、液晶パネル駆動部１７によって液晶パネル４２に描画され、スクリーンＳＣに投射される（ステップＳ１５）。
一方、画像判定部２２によって、入力映像が立体映像でないと判定された場合（ステップＳ１２；Ｎｏ）、画像読出部２３は、ＯＳＤ画像用メモリー３から左目用ＯＳＤ画像３１のみを取得する（ステップＳ１６）。画像合成部２４は、入力映像のフレームに左目用のフレームを重畳させる処理を行って表示画像を生成し（ステップＳ１７）、この表示画像はステップＳ１５で表示部４０によりスクリーンＳＣに投射される。
【００４３】
この図８に示した動作によれば、ユーザーによる選択操作が必要ないため、操作をより簡易にする一方、すみやかにＯＳＤ画像を表示できる。また、例えばユーザーによってＯＳＤ画像を立体表示するか平面表示するかを選択する操作が行われるまでの間、初期（デフォルト）の設定として図８の動作を行い、ユーザーの操作により選択がなされた後は、この操作に従ってＯＳＤ表示が立体か平面かを決定しても良い。
【００４４】
以上のように、本発明を適用した実施形態に係るプロジェクター１は、入力画像が平面画像であるか立体画像であるかを判定する画像判定部２２と、入力画像に重畳されるＯＳＤ画像を記憶するＯＳＤ画像用メモリー３と、画像判定部２２による判定結果に対応して、ＯＳＤ画像用メモリー３に記憶されたＯＳＤ画像をもとに、入力画像に重畳される立体表示用のＯＳＤ画像または平面表示用のＯＳＤ画像を取得する画像読出部２３と、入力画像に対し、画像読出部２３により取得しＯＳＤ画像を重畳して表示画像を生成する画像合成部２４と、画像合成部２４により生成された表示画像を表示する表示部４０とを備え、入力画像が平面画像か立体画像かを判定し、この判定結果に応じて立体表示用のＯＳＤ画像または平面表示用のＯＳＤ画像を入力画像に重畳させて表示する。これにより、入力画像が平面画像か立体画像かに対応してＯＳＤ画像の平面表示と立体表示とを適切に組み合わせて、ＯＳＤ画像を効果的に表示することができる。上記実施形態のプロジェクター１は、立体画像に立体表示用のＯＳＤ画像を重畳させて立体感に富む表示を可能とし、また、平面画像には平面表示用のＯＳＤ画像を重畳させて違和感がなく判読しやすいようにＯＳＤ画像を表示するものである。この例では、立体映像の表示中にＯＳＤ画像も立体表示するので、液晶シャッター方式または円偏光レンズ方式のメガネ型のフィルターを装着する方法により立体表示をしている場合に、このメガネ型のフィルターを装着したまま、ＯＳＤ表示を見ることができ、便利である。また、平面画像を表示している間はＯＳＤ画像を平面表示することで、メガネ型のフィルターを装着することなくＯＳＤ画像を視認できる。さらに、上記実施形態とは別に、プロジェクター１は、例えば立体画像に平面表示用のＯＳＤ画像を重畳させることも可能であり、この場合、立体映像の表示中であっても、メガネ型のフィルターを装着していない人にも見えるようにＯＳＤ画像を表示できる。また、ＯＳＤ画像の視野角が広くなるので、多方向から見やすく判読しやすく表示できる。さらに、平面画像に立体表示用のＯＳＤ画像を重畳させて表示することも可能であり、この場合はＯＳＤ画像を強調表示させる効果がある。
【００４５】
また、プロジェクター１は、画像判定部２２により入力画像が立体画像であると判定された場合に、画像読出部２３により、ＯＳＤ画像用メモリー３に記憶されたＯＳＤ画像をもとに、一対の左目用ＯＳＤ画像３１と右目用ＯＳＤ画像３２とで構成される立体表示用のＯＳＤ画像を取得し、画像合成部２４は、入力画像を構成する一対の左目用画像と右目用画像に対し、画像読出部２３が取得した左目用ＯＳＤ画像３１および右目用ＯＳＤ画像３２をそれぞれ重畳するので、立体画像に重ねてＯＳＤ画像を立体表示できる。
【００４６】
プロジェクター１の表示制御部１５は、画像判定部２２により、入力画像が立体画像であると判定した場合に、この入力される立体画像の画像フォーマット（ラインオルタナティブ形式、フレームシーケンシャル方式、サイドバイサイド形式等）を判定し、画像合成部２４により、判定された画像フォーマットに対応して、入力画像を構成する左目用画像と右目用画像との各々に、画像読出部２３により取得した左目用ＯＳＤ画像３１および右目用ＯＳＤ画像３２をそれぞれ重畳して立体表示画像を生成するので、入力される立体画像の画像フォーマットに対応して、左目用ＯＳＤ画像と右目用ＯＳＤ画像を適切に重畳して表示できる。
【００４７】
また、画像判定部２２は、一対の左目用のフレームと右目用のフレームとが交互に入力画像として入力される場合には、この交互に入力される画像について左目用のフレームか右目用のフレームかを判定し、画像合成部２４は、画像判定部２２により判定された左目用のフレームには左目用ＯＳＤ画像を重畳し、画像判定部２２により判定された右目用のフレームには右目用ＯＳＤ画像を重畳して、表示画像を生成するので、交互に入力される左目用のフレームと右目用のフレームとを確実に区別し、左目用ＯＳＤ画像３１と右目用ＯＳＤ画像３２を適切に重畳して表示できる。
また、画像合成部２４は、入力映像が平面画像である場合に、この平面画像を複製して同一内容の２つの画像を生成し、その一方を左目用のフレーム、他方を右目用のフレームとして取得するので、入力映像が平面画像であっても、ＯＳＤ画像を立体表示することができ、ＯＳＤ画像を効果的に表示することができる。
【００４８】
ＯＳＤ画像用メモリー３は、左目用ＯＳＤ画像３１と右目用ＯＳＤ画像３２とを予め記憶し、画像読出部２３は、画像判定部２２により入力画像が立体画像であると判定された場合に、ＯＳＤ画像用メモリー３から左目用ＯＳＤ画像３１と右目用ＯＳＤ画像３２とを読み出して重畳するので、ＯＳＤ画像を重畳する処理を速やかに実行できる。また、画像読出部２３は、画像判定部２２により入力画像が平面画像であると判定された場合に、ＯＳＤ画像用メモリー３から左目用ＯＳＤ画像と右目用ＯＳＤ画像とのいずれか一方を読み出すので、入力画像が平面画像であった場合は左目用ＯＳＤ画像３１を用いて平面的なＯＳＤ画像の表示を実現するので、平面であっても立体であってもＯＳＤ画像を速やかに表示できる。ここで、左目用ＯＳＤ画像３１に代えて、右目用ＯＳＤ画像３２を用いて平面的なＯＳＤ画像の表示を実現することも勿論可能である。
【００４９】
ここで、上記実施形態においてはＯＳＤ画像用メモリー３に左目用ＯＳＤ画像３１と右目用ＯＳＤ画像３２とをそれぞれ記憶し、立体的にＯＳＤ画像を表示する場合は左目用ＯＳＤ画像３１と右目用ＯＳＤ画像３２とを用い、平面的にＯＳＤ画像を表示する場合は左目用ＯＳＤ画像３１のみを表示する構成として説明したが、本発明はこれに限定されるものではなく、ＯＳＤ画像用メモリー３に、左目用ＯＳＤ画像３１と右目用ＯＳＤ画像３２に加えて、平面表示用のＯＳＤ画像を記憶していてもよい。また、ＯＳＤ画像用メモリー３に、背景と文字とを個別に位置調整可能な形式で１つの基準ＯＳＤ画像を記憶しておき、立体的にＯＳＤ画像を表示する場合は基準ＯＳＤ画像をもとに左目用ＯＳＤ画像と右目用ＯＳＤ画像とをそれぞれ生成して用い、平面的にＯＳＤ画像を表示する場合は基準ＯＳＤ画像から平面表示用のＯＳＤ画像を生成して表示する構成としても良い。この場合、少ない記憶容量でＯＳＤ画像の立体表示が可能になるという利点がある。
【００５０】
なお、上述した実施形態は本発明を適用した具体的態様の例に過ぎず、本発明を限定するものではなく、上記実施形態とは異なる態様として本発明を適用することも可能である。また、上記実施形態では、表示部４０において光源が発した光を変調する変調部として、ＲＧＢの各色に対応した３枚の透過型または反射型の液晶パネル４２を用いた構成を例に挙げて説明したが、本発明はこれに限定されるものではなく、例えば、１枚の液晶パネルとカラーホイールを組み合わせた方式、３枚のデジタルミラーデバイス（ＤＭＤ）を用いた方式、１枚のデジタルミラーデバイスとカラーホイールを組み合わせたＤＭＤ方式等により構成してもよい。ここで、変調部として１枚のみの液晶パネルまたはＤＭＤを用いる場合には、クロスダイクロイックプリズム等の合成光学系に相当する部材は不要である。また、液晶パネル及びＤＭＤ以外にも、光源が発した光を変調可能な構成であれば問題なく採用できる。また、上記実施形態において、画像合成部２４は、画像判定部２２が判定したフォーマットがラインオルタナティブ形式、フレームシーケンシャル方式、サイドバイサイド形式のどれであるかに応じて重畳処理を行うものとして説明したが、入力映像のフォーマットは上記のものに限定されず、また、画像判定部２２が入力映像のフレームレートや解像度を判定し、これらに応じて画像合成部２４が異なる処理を行う構成としても良い。
【００５１】
さらに、上記実施形態では、外部の画像供給装置から入力される入力映像を表示制御部１５によって処理し、ＯＳＤ画像を重畳して投射する構成として説明したが、本発明はこれに限定されるものではなく、ＯＳＤ画像を重畳する処理を、プロジェクター１に外部接続されたパーソナルコンピューター等の画像供給装置が実行する構成としてもよい。この場合の画像供給装置は、プロジェクター１が備える制御部１１、記憶部１２、及び表示制御部１５の機能を備えるものとすることができる。また、本発明は、このような装置が実行するプログラムとして実現することも可能である。これらの構成では、プロジェクター１は、上記画像供給装置から入力される画像をスクリーンＳＣに投射するものであればよい。
【００５２】
また、本発明の表示装置は、スクリーンＳＣに映像を投射するプロジェクターに限定されず、液晶表示パネルに画像／映像を表示する液晶モニターまたは液晶テレビ、或いは、ＰＤＰ（プラズマディスプレイパネル）に画像／映像を表示するモニター装置またはテレビ受像機、ＯＬＥＤ（Ｏｒｇａｎｉｃ  ｌｉｇｈｔ−ｅｍｉｔｔｉｎｇ  ｄｉｏｄｅ）、ＯＥＬ（Ｏｒｇａｎｉｃ  Ｅｌｅｃｔｒｏ−Ｌｕｍｉｎｅｓｃｅｎｃｅ）等と呼ばれる有機ＥＬ表示パネルに画像／映像を表示するモニター装置またはテレビ受像機等の自発光型の表示装置など、各種の表示装置も本発明の画像表示装置に含まれる。この場合、液晶表示パネル、プラズマディスプレイパネル、有機ＥＬ表示パネルが表示手段に相当する。
【００５３】
また、図１に示したプロジェクター１の各機能部は、プロジェクター１の機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。例えば、表示選択部２１、画像判定部２２、画像読出部２３、および画像合成部２４を含む表示制御部１５全体を１つのデバイスで構成することも可能であり、制御部１１と表示制御部１５の機能を１つのデバイスで実現することも可能である。また、上記実施形態においてソフトウェアで実現されている機能の一部をハードウェアで実現してもよく、あるいは、ハードウェアで実現されている機能の一部をソフトウェアで実現してもよい。その他、プロジェクター１の具体的な細部構成についても、本発明の趣旨を逸脱しない範囲で任意に変更可能である。
【符号の説明】
【００５４】
１…プロジェクター（表示装置）、３…ＯＳＤ画像用メモリー（記憶手段）、１１…制御部、１５…表示制御部（表示制御手段）、１７…液晶パネル駆動部、２１…表示選択部、２２…画像判定部（判定手段）、２３…画像読出部（ＯＳＤ画像取得手段）、２４…画像合成部（画像取得手段、画像合成手段）、３１…左目用ＯＳＤ画像、３２…右目用ＯＳＤ画像、４０…表示部（表示手段）、４１…照明光学系、４２…液晶パネル、４３…投射光学系、ＳＣ…スクリーン。
【図１】
0005786315.tif 000002
【図２】
0005786315.tif 000003
【図３】
0005786315.tif 000004
【図４】
0005786315.tif 000005
【図５】
0005786315.tif 000006
【図６】
0005786315.tif 000007
【図７】
0005786315.tif 000008
【図８】
0005786315.tif 000009